(57)【要約】【課題】子供用チェストなどの家具の抽斗に取り付ける構造や取り付けが簡単で操作が容易なロックパーツの提供。【解決手段】  抽斗の外側部あるいはチェスト本体側に取り付けられる取付基部と、該取付基部に連設された板ばね部と、該板ばね部に設けられ、チェスト本体の側板内側あるいは抽斗外側部に設けられた被係合部に係合する係合突起と、該板ばね部の端部に設けられ、チェスト本体の側板から突出して位置する操作頭部を有する操作部とからなり、上記取付基部、板ばね部、操作部及び操作頭部が、帯状部材で一体に形成されている引出しロックパーツ。【実用新案登録請求の範囲】
【請求項１】
抽斗の外側部あるいはチェスト本体側に取り付けられる取付基部と、該取付基部に連設された板ばね部と、該板ばね部に設けられ、チェスト本体の側板内側あるいは抽斗外側部に設けられた被係合部に係合する係合突起と、該板ばね部の端部に設けられ、チェスト本体の側板から突出して位置する操作頭部を有する操作部とからなり、上記取付基部、板ばね部、操作部及び操作頭部が、帯状部材で一体に形成されている引出しロックパーツ。
【請求項２】
帯状部材が、金属、合成樹脂、繊維強化合成樹脂のいずれからなる請求項１記載のチェスト等の引出しロックパーツ。
【請求項３】
係合突起が、略垂直に形成された係合面及び頂部から板ばね部に向かい傾斜した案内傾斜面を有する請求項１又は２に記載のチェスト等の引出しロックパーツ。
【請求項４】
係合突起が、板ばね部の幅と略同幅に形成されている請求項１乃至３のいずれか１項に記載のチェスト等の引出しロックパーツ。
【請求項５】
操作部に、ロック解除仮保持用突起が形成されており、該ロック解除仮保持用突起がチェスト等の本体に設けられたロック解除仮保持用係合部に係合可能である請求項１乃至４のいずれか１項に記載のチェスト等の引出しロックパーツ。
【請求項６】
請求項１乃至５のいずれかの引出しロックパーツが装着された引出しを備えた引出し付家具。
【請求項７】
チェスト等の本体には、その側板内側に被係合部が設けられていると共に、チェスト等の本体の側板前端部には操作部挿通溝が設けられており、また、ロックパーツは、操作頭部がチェスト等の本体の外側に位置するように、操作部を操作部挿通溝内に挿通させると共に、係合突起がロック時にチェスト本体に設けられた被係合部に係合するように取付基部を抽斗の外側部に取り付けた請求項６記載の引出し付家具。
【考案の詳細な説明】
【技術分野】
【０００１】
本考案は、チェスト等の引出しロックパーツ及び引出しロックパーツを備えた引出し付家具に関するものである。
【背景技術】
【０００２】
子供用チェスト等の箪笥の抽斗では、幼児が旺盛な好奇心から抽斗を勝手に引き出して開けてしまうことがあった。そこで、幼児が抽斗を勝手に引き出すことを防止するために、特許文献１（登録実用新案第３０３９９８２号公報）に記載の如き抽斗ストッパが提案されている。
従来の抽斗ストッパを図１３〜１５に示す。この抽斗ストッパは、第１の器具Ａと第２の器具Ｂとで構成されている。該第１の器具Ａは、係止爪ａ２を有した係止片ａ１を備えており、第２の器具Ｂは、抽斗を閉めたときに第１の器具Ａの係止爪ａ２と係合する係止爪ｂ１を有している。ｂ２は、係止片ａ１が挿入される挿入穴である。
その引出しストッパは、図１５に示すように、第１の器具Ａが箪笥本体１００の外側面に取り付けられ、第２の器具Ｂが抽斗２００の前板に取り付けられる。
【０００３】
第２の器具Ｂは、係止爪ｂ２を挿入穴ｂ１内に設けられており、従来の抽斗ストッパは複雑な構造を有し製造が困難であった。
また、その抽斗ストッパは、箪笥の外面に剥き出しに取り付けられるため、その突出部分が邪魔になったりすることがある。
更に、剥き出しに取り付けられるため、箪笥の外見を損なうという問題もあった。
【０００４】
【特許文献１】登録実用新案第３０３９９８２号公報
【考案の開示】
【考案が解決しようとする課題】
【０００５】
本考案は、上記の難点を解決するためになされたもので、帯状部材で一体に形成された構造が簡単で製造が容易なキッズチェスト等の引出しロックパーツを提供することを目的とするものである。
また、装着した取り付け状態で、ロックパーツの箪笥外面への突出する部分が殆どなく、幼児などが引っかかったり怪我をする恐れがなく安全で、また、装着による箪笥等の見栄えを損なうことがない引出しロックパーツを提供することを目的とする。
【課題を解決するための手段】
【０００６】
本考案の主な構成は、次のとおりである。
（１）抽斗の外側部あるいはチェスト本体側に取り付けられる取付基部と、該取付基部に連設された板ばね部と、該板ばね部に設けられ、チェスト本体の側板内側あるいは抽斗外側部に設けられた被係合部に係合する係合突起と、該板ばね部の端部に設けられ、チェスト本体の側板から突出して位置する操作頭部を有する操作部とからなり、上記取付基部、板ばね部、操作部及び操作頭部が、帯状部材で一体に形成されている引出しロックパーツ。
（２）帯状部材が、金属、合成樹脂、繊維強化合成樹脂のいずれからなる（１）記載のチェスト等の引出しロックパーツ。
（３）係合突起が、略垂直に形成された係合面及び頂部から板ばね部に向かい傾斜した案内傾斜面を有する（１）又は（２）に記載のチェスト等の引出しロックパーツ。
（４）係合突起が、板ばね部の幅と略同幅に形成されている（１）乃至（３）のいずれか１項に記載のチェスト等の引出しロックパーツ。
（５）操作部に、ロック解除仮保持用突起が形成されており、該ロック解除仮保持用突起がチェスト等の本体に設けられたロック解除仮保持用係合部に係合可能である（１）乃至（４）のいずれか１項に記載のチェスト等の引出しロックパーツ。
（６）（１）乃至（５）のいずれかの引出しロックパーツが装着された引出しを備えた引出し付家具。
（７）  チェスト等の本体には、その側板内側に被係合部が設けられていると共に、チェスト等の本体の側板前端部には操作部挿通溝が設けられており、また、ロックパーツは、操作頭部がチェスト等の本体の外側に位置するように、操作部を操作部挿通溝内に挿通させると共に、係合突起が抽斗ロック時にチェスト本体に設けられた被係合部に係合するように取付基部を抽斗の外側部に取り付けた（６）記載の引出し付家具。
【考案の効果】
【０００７】
本考案は、引出し用であって、引出しを備えた家具、事務用品などに使用できる。主に、子供のいたずら防止に有用であり、また、地震時などにショックによる引出しの飛び出し防止にも有用である。主に、机、箪笥、チェスト、台所家具に使用できる。また、木製家具、金属製家具などの材質は問わない。本考案は、これらの引出しを備えたもの全般に適用できるものであって、本考案の引出し付家具は、これらを意味広範囲を指す。
【０００８】
本考案の引出しロックパーツは、取付基部、板ばね部、操作部及び操作頭部が、帯状部材で一体に形成されているため、構造が簡単で製造が容易であり、また堅牢である。
【０００９】
この引出しロックパーツは、箪笥の内部に装着される構造であるため、邪魔になる出っ張り部が殆どなく、幼児などが引っかかったり怪我をする恐れがなく安全であり、また、装着によりチェスト等の家具の外観を損なうこともない。そして取り付けも簡単である。
【００１０】
帯状部材が合成樹脂からなるものにあっては、成型が容易であり、また、合成樹脂として繊維強化樹脂を用いたものにあっては、板ばね部の強度とばね力の向上が図られる。
係合突起を金属製としたものにあっては、係合突起の耐久性が向上する。
帯状板体が金属からなるものにあっては、ばね力の確保が容易であり、また操作性能と耐久力の向上が図れる。
【００１１】
略垂直に形成された係合面を有する係合突起は、チェスト等の本体の側板内側に設けられた被係合部に確実に係合し、ロック状態の保持が確実に行える。
また、係合突起が、頂部から板ばね部に向かい傾斜した案内傾斜面を有するため、抽斗が引き出し操作された状態、即ち、ロックが解除された状態から、閉じ操作される際に、係合突起が該案内傾斜面にガイドされ、自動的に係合状態へ復帰する。
【００１２】
係合突起が板ばね部の幅と略同幅に形成されているもにあっては、係合突起の係合操作が円滑にまた確実に行われる。
【００１３】
操作部に、ロック解除仮保持用突起が形成されており、該ロック解除仮保持用突起がチェスト等の本体に設けられたロック解除仮保持用係合部に係合可能にされたものにあっては、ロック解除操作に際し操作頭部を一旦押圧操作すれば、その後は操作頭部から手を離しても操作状態が維持される。そのため、抽斗の引き出し操作を両手で行うことができる。
【考案を実施するための最良の形態】
【００１４】
本考案は、引出し用であって、引出しを備えた家具、事務用品などに使用できる。主に、子供のいたずら防止に有用であり、また、地震時などにショックによる引出しの飛び出し防止にも有用である。主に、机、箪笥、チェスト、台所家具などの引出しを備えた用品全般に使用できる。また、木製家具、金属製家具などの材質は問わない。
本考案の引出しロックパーツは、抽斗２００の外側部２２０に取り付けられる取付基部１と、該取付基部１に連設された板ばね部２と、該板ばね部２に設けられ、箪笥本体１００の側板内側１１０に設けられた被係合部１２０に係合する係合突起５と、該板ばね部２の端部に設けられ、チェスト本体１００の側板から突出して位置する操作頭部４を有する操作部３とからなり、上記取付基部１、板ばね部２、操作部３及び操作頭部４が、帯状部材で一体成形されている。
【００１５】
本考案の引出しロックパーツの材質は、帯状部材が金属、合成樹脂、繊維強化樹脂からなる。本考案の基本作用は、バネ弾性素材で形成し、バネ弾性を利用して、係合方向への付勢と押圧によって係合解除するものである。
【００１６】
本考案の引出しロックパーツは、また係合突起を、金属製突起とし、板ばね部に埋込み固定又は螺子止め固定し、異種材料と組み合わせることもできる。帯状板体を金属製とすると共に、係合突起を合成樹脂製としたものにあっては、上記の効果に加え、係合突起の係脱が円滑に行える。
【００１７】
係合突起を略垂直に形成された係合面及び頂部から板ばね部に向かい傾斜した案内傾斜面を設けたものは、
この垂直な係合面によって、しっかりした係合関係が得られる。この係合面も傾斜面とすると強い引っ張り力に対しては、抵抗できないが、無理な力に対して、ロックパーツが破損したり、故障することは防止できる。
引出しロックパーツの幅は、係合突起が、板ばね部の幅と略同幅に形成すると、強度的に一様にでき、また、加工性もよい。
【００１８】
引出しロックパーツの操作部に、ロック解除仮保持用突起が形成された態様では、解除姿勢にした状態で、両手がフリーとなり、引出しの操作性を向上させることができる。この引出しロックパーツは、引出しの片側あるいは両側に設けることができる。
また、引出し側あるいは、チェスト等の本体側のどちらへも装着することができる。本体側へ装着した場合は、解除、操作方向は、操作部を外側へ引っ張ることとなる。
【実施例１】
【００１９】
図１〜６に実施例１を示す。
図１は本実施例の引出しロックパーツ本体の斜視図、図２ａは側面図、図２ｂは平面図、図３は引出しロックパーツ本体をチェスト本体に取り付けた状態を示した部分破断側面図、図４はロック解除作動を示す側面図、図５はロック解除作動を示す側面図、図６はロックパーツ本体を装着するチェスト本体の要部を示す斜視図である。
図１には、引出しロックパーツを構成するロックパーツ本体１０の実施例が示されている。
ロックパーツ本体１０は板状に形成された取付基部１を有しており、該取付基部１には抽斗２００の側板２２０などに取り付けるためのねじ孔１ｂ，１ｂが設けられている。
板ばね部２は、取付基部１と一体に成形されており、傾斜部２ａにより取り付けられる側板２２０などの表面から少し離れて位置するように形成されている。
操作部３は、板ばね部２と一体に形成されており、板ばね部２の端部で略直角に折曲形成されている。操作部３の頂部には操作頭部４が形成されている。
【００２０】
係合突起５は、板ばね部２の外面に設けられており、係合突起５の前面は板ばね部２に対し略直角をなす係合面５ａとして形成されており、該係合面５ａは、チェスト本体１００の側板内側１１０などに凹部に形成されている被係合部１２０と係合し引き出しを阻止する。図３では、被係合部１２０を係合穴として示しているが、合成樹脂又は金属で被係合部材を別体に形成し、それを取り付け固定することで被係合部１２０とすることもできる。別体として形成したものは係合突起５との素材の組み合わせが任意に行えることから、操作性や耐久性の向上を図ることが可能となる。また、種々のチェストや箪笥、机などの形態への適応性の面からも有利である。
係合突起５の後部は、頂部から板ばね部２へと向かい傾斜する案内傾斜面５ｂとして形成されている。該案内傾斜面５ｂは、抽斗２００が閉められるときに、板ばね部２を下方への押し下げ操作するようにガイドする案内面として機能する。
【００２１】
帯状部材は、合成樹脂で成形することができ、取付基部１、板ばね部２、操作部３及び操作頭部４が一体に容易に形成できる。合成樹脂として、繊維強化樹脂を用いれば、ロックパーツの耐久性並びに板ばね部２のばね力が向上する。帯状部材は、繊維強化樹脂の積層体で形成することもできる。
【００２２】
帯状部材を合成樹脂製としたものにあっては、係合突起５を金属製の突起として形成することができる。金属製の係合突起５は、帯状部材に螺子により固定することの他、螺子止め固定することで取り付ける。
【００２３】
帯状部材は、合成樹脂のほか、金属で成形することもできる。帯状部材を金属製としたものにあっては、係合突起５を合成樹脂製の突起として形成することができる。合成樹脂製の係合突起５は、帯状部材に螺子により取り付ける。
【００２４】
図６は、キッズチェスト等の箪笥の引出しロックパーツ本体１０を装着するためのチェスト本体１００を示している。チェスト本体１００の側板の内面には、被係合部１２０として機能する穴部が設けられており、また、前端縁には、操作部３を移動可能に挿通配置するための操作部挿通溝１３０が設けられている。
図６では、チェスト本体１００の片側のみを示しているが、被係合部１２０及び操作部挿通溝１３０はチェスト本体１００の両側に設けられることもできる。
【００２５】
このように形成されたロックパーツ本体１０の取付状態及び操作を説明する。
ロックパーツ本体１０は、取付基部１が螺子留めにより抽斗２００の側板２２０に取り付けられる。操作部３はチェスト本体１００の前縁に設けた操作部挿通溝１３０内に揺動可能に配置されており、操作頭部４がチェスト本体１００の外側面から突出配置されている。
抽斗２００を閉じた位置では、係合突起５は、図３に示す位置にあり、チェスト本体１００の側板内側１１０に設けられた被係合部１２０に係合している。この状態では、抽斗２００はロック状態にあり、幼児が抽斗２００を引っ張っても開かない。
【００２６】
ロック状態にある抽斗２００を引き出し操作するときは、操作頭部４を手で押圧操作する。押圧操作により、図４に示すように、板ばね部２が押されて、係合突起５が被係合部１２０から外れてロック状態が解除される。その解除状態にあれば、図５に示すように、抽斗２００の引き出し操作が自由に行える。
なお、操作頭部４を手で押圧操作する際に、誤って過大な力で操作してしまったときであっても、操作頭部４の裏面がチェスト本体１００に当接しストッパとして機能するため、操作部３等の折損が未然に防止できる。
【００２７】
ロックパーツ本体１０の抽斗２００への取り付けは、図３に示すようにして行うことができるが、抽斗側板２２０とチェスト本体１００との間に、ロックパーツ本体１０を取り付けるための十分なスペースが存在しないときは、図９に示す如く、抽斗側板２２０にロックパーツ本体１０の取付基部１を収納できる取付溝２２０ａを設け、該取付溝２２０ａ内にロックパーツ本体１０を取り付けるとよい。取付溝２２０ａに代え、収納溝をチェスト本体１００側に設けて、板ばね部２を収容できるように構成することもできる。取付溝２２０ａと板ばね部２の収容溝の両者を併用した構成とすることも勿論可能である。
【実施例２】
【００２８】
図７、図８ａ及び図８ｂには、係合突起５の別の実施例を示す。この例では、係合突起は５０で示されており、板ばね部２の巾と略等しい巾に形成され、また、案内傾斜面５０ｂも板ばね部２と略同巾に形成されている。また、係合突起５０の頂部は面取りされアール部に形成されている。そのため、操作が円滑に行い得ると共に耐久性が向上する。
また、係合突起５０は、板ばね部２との接合される接合部が肉盛り状に形成された拡大基部５０ｃとして形成されている。そのため、係合突起５０が板ばね部２からみだりに剥離破損することが防止されている。
更に、係合突起５０の係合面５０ａは稍後退角をもって形成されている。係合面５０ａが後退角をもって形成されていることにより、ロックされている抽斗２００を誤って大人が無理に引っ張ってしまったときにも、破損直前に係合突起５０が外れるためロックパーツの破損が未然に防止できる。
【実施例３】
【００２９】
図７乃至図１２には、操作部３にロック解除仮保持用突起６を設けた例を示している。操作頭部４０を押圧操作してロック解除操作を行うと、板ばね部２が押されてばね変形する。その際、係合突起５０は非係合位置、即ち、被係合部１２０との係合が解かれた係合解除位置に至る。係合解除位置に至ると、図１０に示すように、ロック解除仮保持用突起６は、チェスト本体１００の操作部挿通溝１３０に設けられているロック解除仮保持用係合部７に係合する。そのため押圧操作した手を離しても、板ばね部２のばね力に抗して解除位置に維持される。そのため、抽斗２００の引き出し操作は、通常の引き出し操作、即ち、両手で引き出し操作が可能となる。
この仮保持状態を確実にするために、操作部３を操作部挿通溝１３０側へ稍ばね付勢しておくことが好ましい。
この仮保持状態は、その後の抽斗２００の引き出し操作に伴って自動的に解除されることとなるため、仮止め操作を解除するための操作は不要である。
【００３０】
図１１及び図１２にロック解除仮保持用突起６及びロック解除仮保持用突起の他の実施例を示しており、ロック解除仮保持用突起７０が鋸歯状に形成され、ロック解除仮保持用突起６に対して向い合うように配置されている。
【００３１】
図７乃至図９に示す例では、操作頭部４０は、指で押圧操作するのに適した大きさの平板状に形成され、且つ指の膨らみが納まる凹部４０ａが形成されている。そのため、押圧操作に最適の位置が感触で分かると共に、指の滑りが防止される。操作頭部４０に花柄模様等の装飾を施せば美観が向上すると共に滑り防止効果が得られる。
【００３２】
図９に示すように、操作頭部４０は、その下面がチェスト本体１００の外側面に当接するようの形成されている。そのため、押圧操作時に、誤って必要以上の過大な力で操作されたときにあっても、操作部３の折れ曲がりや破損が防止される。
【００３３】
そして、キッズチェスト等の箪笥の引出しロックパーツを装着したキッズチェスト等の箪笥にあっては、チェスト本体１００には、その側板内側１１０に被係合部１２０が設けられていると共に、チェスト本体１００の側板前端部には操作部挿通溝１３０が設けられており、また、上記ロックパーツは、操作頭部４がチェスト本体１００の外側に位置するように、操作部３を操作部挿通溝１３０内に挿通させると共に、係合突起５が抽斗ロック時にチェスト本体１００に設けた被係合部１２０に係合するように取付基部１を抽斗２００の外側部に取り付けられている。
【図面の簡単な説明】
【００３４】
【図１】本考案の引出しロックパーツ本体の斜視図である。
【図２（ａ）】本考案の引出しロックパーツ本体の側面図である。
【図２（ｂ）】本考案の引出しロックパーツ本体の平面図である。
【図３】本考案の引出しロックパーツ本体をチェスト本体に取り付けた状態を示した部分破断側面図である。
【図４】ロック解除作動を示す側面図である。
【図５】ロック解除作動を示す側面図である。
【図６】ロックパーツ本体を装着するチェスト本体の要部を示す斜視図である。
【図７】本考案の引出しロックパーツ本体の他の実施例を示す斜視図である。
【図８（ａ）】本考案の引出しロックパーツ本体の他の実施例を示す側面図である。
【図８（ｂ）】本考案の引出しロックパーツ本体の他の実施例を示す平面図である。
【図９】ロック解除仮保持用突起を設けた実施例を示し、チェスト本体に取り付けた状態を示した側面図である。
【図１０】ロック解除仮保持用突起を設けた実施例を示し、ロック解除仮保持状態を示す側面図である。
【図１１】ロック解除仮保持用突起を設けた他の実施例を示す斜視図である。
【図１２】図１１に示す他の実施例のロック解除仮保持状態を示す側面図である。
【図１３】従来の引出しストッパの一例を示す斜視図である。
【図１４】図１３に示す従来の引出しストッパの断面図である。
【図１５】図１３に示す従来の引出しストッパをチェストに取り付けた斜視図である。
【符号の説明】
【００３５】
１０          引出しロックパーツ本体
１            取付基部
１ｂ          ねじ孔
２            板ばね部
２ａ          傾斜部
３            操作部
４、４０      操作頭部
５、５０      係合突起
５ａ、５０ａ  係合面
５ｂ、５０ｂ  案内傾斜面
５０ｃ        拡大基部
６            ロック解除仮保持用突起
７、７０      ロック解除仮保持用係合部
１００        チェスト本体
１１０        側板内側
１２０        被係合部
１３０        操作部挿通溝
２００        抽斗
２２０        抽斗側板
２２０ａ      取付溝
Ａ            第１の器具
ａ１          係止片
ａ２          係止爪
Ｂ           第２の器具
ｂ１          係止爪
ｂ２          挿入穴
【図１】
0003106781.tif 000002
【図２（ａ）】
0003106781.tif 000003
【図２（ｂ）】
0003106781.tif 000004
【図３】
0003106781.tif 000005
【図４】
0003106781.tif 000006
【図５】
0003106781.tif 000007
【図６】
0003106781.tif 000008
【図７】
0003106781.tif 000009
【図８（ａ）】
0003106781.tif 000010
【図８（ｂ）】
0003106781.tif 000011
【図９】
0003106781.tif 000012
【図１０】
0003106781.tif 000013
【図１１】
0003106781.tif 000014
【図１２】
0003106781.tif 000015
【図１３】
0003106781.tif 000016
【図１４】
0003106781.tif 000017
【図１５】
0003106781.tif 000018